(57)【特許請求の範囲】
【請求項１】
始点の位置及び／又は終点の位置に情報を担持するデータピットが隣接トラックで相互に逆位相になるように配置され、隣接する複数のトラックを光スポットで同時に照射して情報の再生を行う方式の光ディスクにおいて、
前記データピットは、記録されるデータ情報に応じて、ピットの始点と終点の位置が変調され、ピットの長さが変化したものであり、
前記光ディスクは、ミラー部と、前記データピットが形成されたデータ部を有し、前記データ部の先頭のピットの始端は、４トラック以上にわたってディスク半径方向に整列し、前記先頭のピットの始端によって同期信号が生成されるものであることを特徴とする光デイスク。
【請求項２】
請求項１記載の光ディスクにおいて、前記データピットのピット幅がトラック周期の半分よりも広いことを特徴とする光ディスク。
【請求項３】
光ディスクと、前記光ディスクを回転駆動するディスク駆動部と、前記光ディスクに光照射し反射光を検出する光ヘッドと、前記光ヘッドにより検出された再生信号を処理して情報を再生する信号処理回路とを含む光ディスク装置において、
前記光ディスクとして請求項１記載の光ディスクを用い、前記信号処理回路は、前記ミラー部を検出するための第１の閾値と、前記第１の閾値より小さい第２の閾値を有し、前記再生信号が前記第１の閾値を超えたのち前記第２の閾値に達したとき同期タイミング信号を発生することを特徴とする光ディスク装置。
【発明の詳細な説明】
【０００１】
【発明の属する技術分野】
本発明は、光ディスク及び光を用いて光ディスクに記録された情報を再生する光ディスク装置に関係する。
【０００２】
【従来の技術】
光ディスクの記録密度の向上に伴い、レンズで集光される光のスポット径よりも小さな間隔で並んだピットの情報を再生する技術の必要性が高まっている。この実現のために、特開平１０−７４３２２号公報にて、２トラック同時再生によるＳＣＩＰＥＲ／ＲＰＲ（ｓｉｎｇｌｅ  ｃａｒｒｉｅｒ  ｐｉｔ  ｅｄｇｅ  ｒｅｃｏｒｄｉｎｇ／ｒａｄｉａｌ  ｐａｒｔｉａｌｒｅｓｐｏｎｓｅ：以下、単にサイパー）という方式が提案された。さらに、この方式を応用し、再生信号のタイミングジッタの許容幅を広げる方法として、交番ピット配置を用いる二次元ＰＲＭＬ（ｐａｒｔｉａｌ  ｒｅｓｐｏｎｓｅ  ｍａｘｉｍｕｍ  ｌｉｋｅｌｙｈｏｏｄ）方式と呼ばれるフォーマットが特開２０００−２０７７４７号公報に提案されている。この従来方式を、図２〜５を用いて、以下に説明する。
【０００３】
ピットは、電子線原盤描画装置によってディスク原盤上に描画され、光ディスク上で図２のように配置される。ピットのない領域は、ミラー領域又はミラー部と呼ぶ。ピットは、信号同期のための同期ピット１や、レベル補正のための基準ピット２、正しいトラック位置からのズレを検知するためのサーボピット３、データを記録するためのデータピット４より成る。このうち、同期ピット１や、基準ピット２、サーボピット３は、一定の長さを持つ非変調ピットとするのが一般的である。標準的なピットの長さの単位は、ピットクロックにより決まる。本例では、基準ピットやサーボピットは、１ピットクロック分の長さに相当する。同期ピットの長さは少し長く、２ピットクロック分に相当する。変調部のピットも、変調を受けない標準的なピットの長さは、１ピットクロック分の長さである。また、基準ピットにサーボピットの機能を兼ねたり、同期ピットに基準ピットの機能を兼ねることも可能であるので、これら同期ピット・基準ピット・サーボピットの有無は任意である。
【０００４】
一方、データを記録するデータピット４は、本方式においては変調部を有した変調ピットであり、記録されるデータ情報に応じて、ピットの始点と終点の位置が変調され、ピットの長さ（ピット長）が変化する。このように、各トラックにおいて複数個のデータピット４が、一定周期で並べられる構造を基本とする。ただし、ピットの両端の長さが変調されるので、ピットの重心位置は、両端の変調に応じて変化するように見えるので、完全に一定周期ではなく、これを略一定周期と呼ぶことにする。前記各トラックを、一列ずつ、半径方向７の方向に並べることで、二次元的にピットが配列された光ディスクとなる。この配列の際、図２のように、本方式においては、各変調ピットの配置が、市松模様状に、隣接するトラック間において相互に逆位相となっている。
【０００５】
このピットパターン上を、信号再生のために、レンズによって集光された光スポットで走査すると、光スポットの当った部分のパターンに応じて、反射光が変化する。各ピットの深さは、ピットの存在する部分で、反射光の位相が反転するように調整して光ディスクを成形しておく。このピットパターン上を光スポット５が、図２（ａ）のように通過すると、位相の反転するピット部からの反射光ＰＲＬと、位相の反転していない非ピット部からの反射光ＭＲＬが図２（ｃ）のように打消し合って、反射光強度は、図２（ｂ）のように変化する。この反射光強度を、ここでは、一般的に呼ばれるように、再生信号と呼ぶ。なお、図２（ｂ）に示した再生信号は、データピット４の始点位置と終点位置が種々の変調を受けたときの再生信号を重ねて表示したものでアイパターンと呼ばれる。本パターン（従来技術）においては、図２のように、光スポットの大きさは、２〜３ピットクロック分に相当する。
通常、ピットの占める面積は、ピット以外の部分の占める面積より少なくなるよう設定されるので、この再生信号は、ほぼ光スポット中のピットの面積に比例した信号となる。
【０００６】
データピット４の両端（変調ピット端６）の長さは、記録するデータに応じて変化され（変調され）る。本方式においては、隣接する複数のトラックを光学的に同時に検出する。一つの光スポットの中に、２〜３のピットが含まれ、全部で計４つの変調ピット端６が含まれる。すなわち、この各変調ピット端の長さの和が、図４のＳＰ１に示す光スポットの位置（変調データサンプリング点）で、再生信号に現れることになる。この再生信号強度を図４の位置でサンプルすることで、各ピットに記録したデータの和の値が得られる。すでに３つの変調ピット端の長さが分かっている時に、この和の値が分かると、４つのうち３つの変調ピット端の長さが分かっているので、残るもう一つ（Ａ）のピットの長さが求められる。さらに、図５のように、光スポットがＳＰ２の位置（変調データサンプリング点）に移ると、すでに変調ピット端（Ａ）の長さが分かっているので、残るＢのピット端の長さが分かる。以上の手順を繰返すことにより、一トラック全ての変調ピット端の長さが分かり、さらにこれを各トラックについて、１トラックずつ繰返すことで、二次元的に全ての全てのデータピットに記録されたデジタルデータを復元することができる。
【０００７】
この二次元ＰＲＭＬ方式では、ピットの配置が隣接トラック間で、逆位相（交番配置）となることで、例えば光スポットがＳＰ１からＳＰ２へ動く間に、光スポットに含まれるピットの面積の変動を抑えることができ、再生信号上へのピット周期の信号の変動を小さく抑えられる。サイパー方式に比較して、サンプルする瞬間の前後における全体的なレベル変動がなくなることで、サンプルする時間のずれ（タイミングジッタ）に対する許容性が高くなる。ただし、これによって、再生信号からピットのタイミング（ピットクロック）を抽出することが難しくなるので、代わりに図２のように同期ピット１を付し、この同期ピット１の信号を信号レベルＬＳ０で検出することで、ピットクロックを位相ロック回路（ＰＬＬ）を用いて生成し、サンプルする時間のタイミングを正確に得るという方法をとっている。
以上が、二次元ＰＲＭＬ方式として提案された高密度光ディスクの信号再生方式の原理である。
【０００８】
【発明が解決しようとする課題】
これら、サイパー方式や上述した二次元ＰＲＭＬ方式では、複数のビットの情報を同時に読まなくてはならないために、１ビット当りの再生信号の変調強度が大きく取れず、記録密度を上げる程、信号／ノイズ比（以下、Ｓ／Ｎ比という）が小さくなりやすいという問題点があった。再生する信号情報の誤り率を小さくし、信頼性を向上し、より高い記録密度を実現するためには、Ｓ／Ｎ比をより大きくする工夫が必要であった。
【０００９】
これに加えて、上記のように、二次元ＰＲＭＬ方式においては、同期パターンによる同期信号の生成が必要となる。しかし、特開２０００−２０７７４７号公報に記されるような従来フォーマットでは、Ｓ／Ｎ比を拡大するために図３（ａ）に示すように同期ピットの幅を広く描画しすぎると、同期ピットの長さが長いために、図３（ｃ）のように、光スポットの当る領域のうち、ピット部の面積が、ピット部以外（非ピット部）の面積を上回り、ピット部からの位相の反転した反射光の光量（ピット部反射光量：ＰＲＬ）を、非ピット部以外の位相の反転していない反射光の光量（非ピット部反射光量：ＭＲＬ）で打消しきれないために、図３（ｂ）のように、再生信号がピット部の面積に比例して小さくならず、折り返す現象が生じる。さらに、このような折り返しを生じる状況で、同期信号を信号レベルで検知することは、媒体の膜厚誤差や、トラッキング・自動焦点調節（オートフォーカス）の制御の誤差の影響を受けやすい。このため、正しい同期ピットの信号が得られないために、同期が正しくかからず、光ディスク上の信号が正しく読めないという問題点が生じていた。
【００１０】
前述したように、二次元ＰＲＭＬ方式においては、ピットの交番配置によって、サンプリング・タイミングのズレに対する許容幅を拡大しているが、その代わりに、再生信号から精度の良いピットクロックを抽出することが難しくなっているため、同期信号より正確なピットクロックを生成することが重要である。同期信号を正確かつ確実に抽出することは、ピットが交番配置された二次元ＰＲＭＬ方式に固有の問題点であった。
【００１１】
このように、光のスポットのより小さな間隔でピットの並んだ高記録密度の光ディスクにおいて、記録密度をさらに向上し、かつ情報を高い信頼性で再生できるようにするためには、半トラック周期よりも広いピット幅を可能とし、Ｓ／Ｎ比を向上しつつ、確実な同期信号を得られるように工夫する必要がある。これによって、信頼性の高い情報再生の可能な光ディスクを提供し、また、再生装置における信号処理を簡易にして、安価な光ディスク装置を提供することが課題であった。
【００１２】
【課題を解決するための手段】
本発明においては、整列した同期ピットの代わりに、ミラーレベルを検知して同期信号を生成するよう光ディスクと光ディスク装置を構成する。そのために、ミラー部を光スポット径と同程度まで長くして、十分にミラーレベル（最大反射光量）に近い再生信号を得る。又は、ミラー部を長く、ピット部を短くした同期パターンとし、ミラー部からピット部への再生信号の立下りを検知して同期信号を生成する。
【００１３】
ミラーレベルを基準として同期信号を生成することで、同期信号レベルを、ピット幅によらずに最大値とし、一定にする。また、同期パターンにおけるピット部の長さを短くすることで、ピット周囲（非ピット部）からの反射光量を確保する。これによって、ピット幅をトラック周期の半分を超えて広くする。
【００１４】
パターン全体のピット幅を広く取ることで、ピットの変調面積を大きくし、再生信号上での変調強度を大きくする。これによってＳ／Ｎ比を向上し、記録密度また再生情報の信頼性を向上する。かつ、同期信号のレベル変動を防いで、同期も確実に取れるようにする。さらに、ディスクのピット高さの誤差に対する許容幅が大きくなることで、光ディスクの作製コストが下がる。
【００１５】
本発明による光ディスク（１）は、始点の位置及び／又は終点の位置に情報を担持するデータピットが隣接トラックで相互に逆位相になるように配置され、隣接する複数のトラックを光スポットで同時に照射して情報の再生を行う方式の光ディスクにおいて、データピットのピット周期の４分の３（１．５ピットクロック）以上のミラー部と、データピットのピット周期の４分の１（０．５ピットクロック）以上のピット長を持つ同期ピット部とが、同一トラック上で隣接し、ミラー部と同期ピット部とが隣接したパターンが４トラック以上にわたってディスク半径方向に整列し、ミラー部に比べ同期ピット部の長さが短いことを特徴とする。
【００１６】
本発明による光ディスク（２）は、また、始点の位置及び／又は終点の位置に情報を担持するデータピットが隣接トラックで相互に逆位相になるように配置され、隣接する複数のトラックを光スポットで同時に照射して情報の再生を行う方式の光ディスクにおいて、一つおきのトラックにデータピットが一つ抜けた部分が存在し、データピットが抜けた部分に最も近い隣接トラックの４つのデータピットの前記抜けた部分に近い側のピット端が非変調ピット端であり、かつデータピットの抜けた部分がディスク半径方向に整列してミラー部の列を成しており、当該ミラー部の列がディスクの回転方向に一定角度ごとに周期的に配置されていることを特徴とする。
データピットのピット幅はトラック周期の半分よりも広いことが好ましい。
【００１７】
本発明による光ディスク装置は、光ディスクと、光ディスクを回転駆動するディスク駆動部と、光ディスクに光照射し反射光を検出する光ヘッドと、光ヘッドにより検出された再生信号を処理して情報を再生する信号処理回路とを含む光ディスク装置において、光ディスクとして前述の光ディスク（１）を用い、信号処理回路は、ミラー部を検出するための第１の閾値と、第１の閾値より小さい第２の閾値を有し、再生信号が第１の閾値を超えたのち第２の閾値に達したとき同期タイミング信号を発生することを特徴とする。
【００１８】
本発明による光ディスク装置は、また、光ディスクと、光ディスクを回転駆動するディスク駆動部と、光ディスクに光照射し反射光を検出する光ヘッドと、光ヘッドにより検出された再生信号を処理して情報を再生する信号処理回路とを含む光ディスク装置において、光ディスクとして前述の光ディスク（２）を用い、信号処理回路は、ミラー部を検出するための閾値を有し、再生信号が閾値を超えたとき同期タイミング信号を発生することを特徴とする。
【００１９】
【発明の実施の形態】
以下、本発明の実施の形態を、図１及び図６〜図１１を用いて説明する。理解を容易にするため、以下の図において、従来例の図２〜５と同じ作用を示す部分には図２〜５と同じ符号を付して説明する。
最初に、光ディスクに形成するピットパターンについて説明する。図６（ａ）に、上述の同期の問題点を改善する本発明によるピットパターンの例を示す。
【００２０】
一つおきのトラックＴＲ０，ＴＲ２，…上にピットが一つ抜けた部分が存在する。ピットの抜けがない隣接トラックＴＲ１，ＴＲ３，…のそのピットが抜けた部分の周囲４つのピットは、ピットが抜けた部分に近い側のピット端が非変調ピット端となっている。一つおきのトラックＴＲ０，ＴＲ２，…のピットの抜けた部分がディスクの半径方向に整列してミラー部の列を成している。このミラー部の列が、ディスクの回転と共に、一定周期で信号上に現れるように、一定間隔で配置する。具体的には、図６のようなミラー部の列が、ディスクの回転方向について、一定角度ごとに周期的に配置されているパターンとする。半径方向にトラックをいくつかのゾーンに分割して、各ゾーン毎にこれらのパターンを形成しても良い。
【００２１】
光スポット５が、２つのトラックに均等にまたがって走査される、トラッキングのとれた状態では、このパターンの再生信号は図６（ｂ）のようになる。光スポットがＳＰ３の位置（同期パターンサンプリング点）にある時、再生信号がミラーレベル（上限）に近づく。この信号を同期検知レベルＬＳ３にて検知することで、同期信号を得ることができる。すなわち、ミラー部のみの同期パターンであっても、同期信号を生成することができる。この方法ならば、データピットの再生信号に折返しが生じない範囲で、ピット幅を広げることができる。また、同期パターンが最短のため、記録密度を最も高くできる。さらに、後述するパターンの場合のような立下りエッジ検出が必須でないため、同期信号の発生回路の構成が簡単になる。
【００２２】
ただし、この方法では、トラッキングがずれると、ＬＳ３付近の再生信号レベルが変動するので、同期検知をこれに追従させる回路が必要となる。また、同期信号自体のレベル変動に追従するため、同期信号自身を位相ロック回路（ＰＬＬ）によって追従させて生成する必要がある。このため、ディスクの回転ムラに対する追従性能が悪くなる。同期検出を、位相ロック回路（ＰＬＬ）ではなく、エッジ検出を用いて、厳密に検出し、同期タイミングの時間精度を上げる方が、同期の追従性が良くなり、また複号した信号データの信頼性が上がる。
【００２３】
そこで、信号エッジで確実かつ正確に同期タイミングを得られるパターンとしたものの例が、図７（ａ）に示すパターンである。ミラー部を２ピットクロック（データピットの一周期長）と、少し長めに確保し、十分に再生信号をミラーレベル近くまで飽和させ、これに続いてディスク半径方向に整列したピット部１を、再生信号が折返しを起こさない程度の短めの長さで配置した。このミラー部とピット部１の隣接パターンを、半径方向に整列させて、同期パターンとする。
【００２４】
この方法では、図７（ｂ）に示すように、再生信号のミラーレベルＬＳ３で同期パターン先頭であることを検知して、そのエッジ信号（立下り又は立上り）で正確な同期タイミングを得ることができる。ＳＰ４はエッジ同期サンプリングタイミングの一例を示している。トラッキングのズレがあって、光スポットが、２トラック上に均等にまたがって走査されていない時でも、正確に同期信号を得られるようにするためには、前記ミラー部直後のピット部１は、半径方向に整列していなければならない。
【００２５】
すなわち、本手法においては、ミラー部とピット部１が隣接しており、この隣接パターンが複数トラックにわたって半径方向に整列しており、ミラー部に比較して当該ピット部１の長さが短いことが特徴となる。また、同期のために整列した隣接パターンを設けているので、トラック数は通常４トラック以上とるのが普通である。再生信号上でミラーレベルを十分に確保するためには、ミラー部の長さは、１．５ピットクロック（変調部のピット周期の４分の３）以上必要である。一方、ピット部の長さは、０．５ピットクロック（変調部のピット周期の４分の１）以上あれば十分に検知できるが、ミラー部に比較して長くなりすぎると、再生信号の折返し生じやすくなるため、通常、ミラー部の長さより短くすることが望ましい。
【００２６】
なお、同期信号発生のための閾値レベルは図７（ｂ）に示した閾値レベルに限らず、再生信号が一旦ミラー検知レベルＬＳ３を超えた後、同期ピット１が光スポット５に入ってくることによって低下してくる再生信号レベルに対して光ディスク装置側で設定した任意のレベル、換言するとミラー検知レベルＬＳ３より小さい任意の信号レベルを同期信号発生のための閾値レベルとして設定することができる。また、図７（ａ）ではデータピット４のうちミラー部に隣接するピット端を無変調ピット端としているが、ミラー部の再生信号がミラー検知レベルＬＳ３を超えることが保証されればミラー部に隣接するデータピット４のピット端を変調ピット端としても構わない。
【００２７】
このようなパターンを、２〜３ピットクロック相当のスポット径を持つ光スポット５が走査して得られる再生信号は、折返しを起こすことなく、再生が可能である。ピットの長さが光スポットの広がりの半分程度と小さければ、整列したピット部１のピット幅を半トラック周期以上と広めに確保しても、非ピット部からの反射光量が十分に確保できるので、飽和せずに済むためである。その分、変調ピットのピット幅を広くして、変調部の面積を大きく取れることで、Ｓ／Ｎ比が改善できる。従って、再生信号の変調振幅を大きくとった光ディスクを供給することができる。
【００２８】
ピット幅を変調せずに一定幅で描画できるので、原盤描画装置も従来の構成のものを用いて簡易に実現できるという利点がある。同期ピットの幅で制限されていたピット幅を、変調ピット・同期ピット共に広げることができる。
さらに、この延長として、図７に示した光ディスク上のピットパターンは、次のように展開できる。
【００２９】
非変調ピットの並ぶ非変調部のパターンとしては、サーボピットは、同期パターンの前後の偶数トラックと奇数トラックのピットパターンの差を利用して代用できる。従って、図７（ａ）に示したような独立したサーボピット３は必須ではない。さらに、図７の同期ピット１と基準ピット２の並びは、同じ形状のパターンであるため、例えば基準ピット２の並びは省くことができる。これによって、サーボピット３、基準ピット２共に不要となり、これらを省くと図１のパターンのようになる。このようによりシンプルなパターンで、同期と、レベル合わせと、トラッキングサーボが実現できる。
【００３０】
図１に示したパターンは、図５示したパターンに比較して、同期の確立が速い、同期精度が高く回転ムラに対して強い、ミラーレベルの検出で同期パターンであることを検知できるため同期回路の構成がやや簡単になる、図１（ａ）に示した点線（図１（ｂ）に示すＳＰ４のタイミング）に対しパターンが非対称であるため、トラックずれに対し同期パターン部の平均再生信号レベルが一定に保たれ、そのためレベル変動に対する適応フィルタ回路が比較的簡単な構成で済むという利点もある。
【００３１】
さらに、図１に示したパターンを変形して、同期ピット１を境として、偶数トラックと奇数トラックのつながり方を逆にしたものが図８のパターンである。このパターンを用いても、図１と同様に、同期・レベル合わせ・トラッキングサーボが実現できる。
【００３２】
図８に示したパターンは、図１に示したパターンに比較して、図８（ａ）中の点線（ＳＰ４のタイミング）に対するパターンの対称性が異なるため、トラックずれにより同期パターン前後の再生信号レベルが変動する。これを利用してトラックずれを検知できる。ただし、その場合には、レベル変動の補正フィルタを、同期信号と同期させる必要がある。
【００３３】
さらに、同期パターンの同期ピット１の直後のミラー部は、非ピット部からの反射光量が確保できる範囲では、これを省いて、パターンを短縮することができる。この応用で、図１、図８のパターンを短縮したものが、図９（ａ）や図９（ｃ）に示すようなパターンである。これらのパターンからの再生信号は図９（ｂ）のようになるが、図１や図８に示したパターンの場合と同様に、同期やトラッキングを実現しつつ再生が可能である。
【００３４】
図９（ａ）に示すパターンは、トラッキングずれに対し再生信号のレベル変動が生じるので、これを検知してトラッキングをかけることができる。一方、図９（ｃ）に示したパターンは、トラッキングずれに対し平均再生信号レベルの変動を生じにくいので、レベル変動の補正フィルタが簡易な構成で済む。また、レベル変動が少なく安定しているため、変調をより多値化する場合に有利である。
【００３５】
なお、図１、図８、図９に示したパターンにおいても、同期信号発生のための閾値レベルは図示した閾値レベルに限らず、ミラー検知レベルＬＳ３より小さい任意の信号レベルを同期信号発生のための閾値レベルとして設定することができる。また、ミラー部の再生信号がミラー検知レベルＬＳ３を超えることが保証されればミラー部に隣接するデータピット４のピット端を変調ピット端としても構わない。
【００３６】
また、図８に示した同期パターンのミラー部とピット部の順序を逆にした図１０のような配置でも、同様の同期やサーボが可能であるが、ミラーレベルの検知が、エッジ検出の後になるため、若干再生後の信号処理が複雑化するので、図１や図８に示したようなパターンの順序の方がより好ましい。
次に、図１１により、上述した光ディスクを再生する、再生装置の構成例について説明する。
【００３７】
上記パターンを有する光ディスク８を、回転サーボ回路９によって一定回転速度に制御されたモータ１０上に設置し、回転する。レーザ駆動回路１１によって駆動される半導体レーザ１２からレーザ光を発生させ、コリメートレンズ１３によって並行光とした後、ビーム整形プリズム１４によって整形する。これを反射鏡１５によって反射し、光ディスク８の方へ向けて導入する。この光は偏光ビームスプリッタ１６を通過し、λ／４板１７を通過し、対物レンズ１８にて集光されて、光ディスク８上に照射される。対物レンズ１８は、アクチュエータ１９上に設置されており、焦点深度方向と、ディスクの半径方向に電気信号によって可動な構造となっている。焦点深度方向は焦点サーボ回路２０によって、半径方向はトラッキングサーボ回路２１によって、各々、前記集光照射された光が、光ディスク８上の、希望のトラック上のパターンの上にて焦点を結ぶように制御される。
【００３８】
光ディスク８上のパターンによって変調された反射光は、反転して対物レンズ１８を通過し、平行光に戻された後、λ／４板１７を通過し、偏光ビームスプリッタ１６にて反射されて、シリンドリカルレンズ２２、集光レンズ２３を通過して、四分割光検出器２４に入射する。この四分割光検出器２４上では、対物レンズ１８の焦点深度に応じて、光のパターンの対称性が変化する。これを光電検出して、焦点ずれを電気信号の形で検知することができる。この電気信号を、光電流アンプ２５にて増幅し、焦点サーボ回路２０に帰還することで、自動焦点調節が実現される。
【００３９】
一方、光電流アンプ２５にて増幅された反射光信号は、信号処理によって情報を再生するためにも用いられる。光電流アンプ２５の信号は、まず等化回路２６によって、周波数・反射光量に応じて補正される。次にこの信号は、レベル検出回路２７、同期検出回路２８、サンプリング回路３０に供給される。レベル検出回路２７では、同期パターンの先頭を示すミラーレベルの信号を検知する。具体的には、再生信号の最大値を保持し、これと比較することでミラーレベルを簡易かつ確実に検出することができる。この信号を受けて、同期検出回路２８にて、再生信号の立下りエッジを検出し、整列パターンの位置に同期した、同期タイミング信号を生成する。この信号を位相ロック回路２９にて受け、同期タイミング信号に同期した逓倍化信号を生成する。この逓倍化信号をサンプリングクロックとして、サンプリング回路３０に供給し、変調データの通過点に合わせて、再生信号をサンプリングする。
【００４０】
このサンプリングされた再生信号を、復調回路３１とトラッキング誤差検出回路３２に供給する。復調回路３１では、サンプリングされた再生信号より、各変調ピット端の長さの和に相当する信号へ量子化変換すると同時に、メモリ３３に記憶された１トラック前に再生された信号を元に、読み出すトラックのビット信号を復号する。復号されたビット信号は、次のトラックのデータの読出しに備えてメモリへ記憶する。一方、トラッキング誤差検出回路へ供給された、サンプリングされた再生信号は、サーボピットに相当するトラッキングのズレを検出できるエッジ位置の信号を抽出して、理想トラック位置からのズレ量をトラッキングサーボ回路２１へ帰還する。これにより集光点のトラッキングが実現される。なお、これらのサーボ回路、駆動回路、信号処理回路は、主制御回路３４によって統括的に制御される。
【００４１】
復調回路３１より出力された、復号されたビット信号を、使用目的に合わせて信号処理することで、ディスクに記録されたデータが利用できる。一般的に、エラー訂正処理や、スクランブルの復号化等の処理が行われる。
本発明による光ディスクの同期パターンを用いることで、上記のように、再生信号のミラーレベルによる、確実な同期と信号処理が簡易に実現できる。整列パターンを同期パターンとして用いることで、信号の立下りのタイミングを揃えることができるので、より安定で正確な同期信号を得ることができる。
【００４２】
以上示したように、本発明によれば、複数トラックを光学的に同時に検出する方式の光ディスクにおいて、再生時の信号の変調幅を、他の信号レベルに比較して拡大することができるので、Ｓ／Ｎ比が向上し、信号より再生した再生情報の信頼性が向上する。また、Ｓ／Ｎ比が向上する分だけ、さらに記録密度を高くしたり、又は再生信号処理を簡易化することができるため、装置を低コスト化できる。
【００４３】
【発明の効果】
本発明によれば、同期ピットでピット幅の制限された二次元ＰＲＭＬ方式においても、さらにピット幅を広くして原盤を描画し、再生信号上の変調強度を拡大することができる。高い同期精度を実現しつつ、変調強度を拡大することができるので、Ｓ／Ｎ比が向上し、再生情報の信頼性が向上する。
【図面の簡単な説明】
【図１】本発明による同期パターンの例を示す図である。
【図２】従来パターンにおけるピット配置と再生信号の例を示す図である。
【図３】従来パターンにおいて、Ｓ／Ｎを拡大するためにピット幅を広げた場合のピットパターンと再生信号を示す図である。
【図４】二次元ＰＲＭＬ方式により、再生信号に現れるピット端の長さの和の信号より、ピット端に記録されたデータ列を復元する方法を説明する図（その１）である。
【図５】二次元ＰＲＭＬ方式により、再生信号に現れるピット端の長さの和の信号より、ピット端に記録されたデータ列を復元する方法を説明する図（その２）である。
【図６】ミラー部のみによる同期パターンの例を示す図である。
【図７】本発明による同期パターンの例を示す図である。
【図８】本発明による同期パターンの例を示す図である。
【図９】本発明による同期パターンの例を示す図である。
【図１０】本発明による同期パターンの例を示す図である。
【図１１】本発明による光ディスクの再生装置の構成例を示す図である。
【符号の説明】
１…同期ピット
２…基準ピット
３…サーボピット
４…データピット
５…光スポット
６…変調ピット端
７…半径方向
８…光ディスク
９…回転サーボ回路
１０…モータ
１１…レーザ駆動回路
１２…半導体レーザ
１３…コリメートレンズ
１４…ビーム整形プリズム
１５…反射鏡
１６…偏向ビームスプリッタ
１７…λ／４板
１８…対物レンズ
１９…アクチュエータ
２０…焦点サーボ回路
２１…トラッキングサーボ回路
２２…シリンドリカルレンズ
２３…集光レンズ
２４…四分割光検出器
２５…光電流アンプ
２６…等化回路
２７…レベル検出回路
２８…同期検出回路
２９…位相ロック回路
３０…サンプリング回路
３１…復調回路
３２…トラッキング誤差検出回路
３３…メモリ
３４…主制御回路
ＬＳ３…同期検知レベル
【図１】
0003544955.tif 000002
【図２】
0003544955.tif 000003
【図３】
0003544955.tif 000004
【図４】
0003544955.tif 000005
【図５】
0003544955.tif 000006
【図６】
0003544955.tif 000007
【図７】
0003544955.tif 000008
【図８】
0003544955.tif 000009
【図９】
0003544955.tif 000010
【図１０】
0003544955.tif 000011
【図１１】
0003544955.tif 000012